(57)【特許請求の範囲】
【請求項１】
区画壁内に設けられ、コンプレッサにより圧縮された冷媒を蒸発させ、空気を冷却する冷却器と、前記冷却器により冷却された空気を庫内に送るファンと、前記庫内に形成され、食品を貯蔵する冷凍室及び冷蔵室と、前記冷却器からの冷却空気を各室に導入するための通風路と、開いている時には前記冷却器からの冷却空気を前記冷蔵室に導入させ、閉じている時には前記冷却器からの冷却空気を前記冷蔵室に導入させない電動ダンパと、前記冷凍室内に設けられた冷凍室温度センサと、前記冷凍室温度センサにより前記冷凍室の室内温度を検出する冷凍室温度検出手段と、前記冷凍室の室内温度を設定する冷凍室温度設定手段と、前記冷凍室温度検出手段により検出された前記冷凍室の室内温度と前記冷凍室温度設定手段により設定された前記冷凍室の設定温度との差を演算する冷凍室温度差演算手段と、前記冷凍室温度差演算手段の出力により前記コンプレッサの回転数を決定する回転数演算手段と、前記冷蔵室内に設けられた冷蔵室温度センサと、前記冷蔵室温度センサにより前記冷蔵室の室内温度を検出する冷蔵室温度検出手段と、前記冷蔵室の室内温度を設定する冷蔵室温度設定手段と、前記冷蔵室温度検出手段により検出された前記冷蔵室の室内温度と前記冷蔵室温度設定手段により設定された前記冷蔵室の設定温度との差を演算する冷蔵室温度差演算手段と、前記冷蔵室温度差演算手段の演算した温度差により前記電動ダンパを開閉する電動ダンパ駆動回路と、前記冷却器にとりつけられた冷却器温度センサと、前記冷却器温度センサにより冷却器の温度を検出する冷却器温度検出手段と、前記回転数演算手段により決定された回転数が０回転あるいは最低回転数でなく、前記冷蔵室の温度が設定温度以下で、前記電動ダンパ駆動回路が前記電動ダンパを閉め前記冷蔵室は冷却されず冷却器温度が低下した時の前記冷却器温度検出手段で検出した冷却器温度が回転数補正温度以下であれば、前記回転数演算手段により決定された回転数を下げるように補正する回転数補正手段と、前記冷却器温度検出手段で検出した冷却器温度が回転数補正温度以下でなければ前記回転数演算手段により決定された回転数で前記コンプレッサを回転数制御し、前記回転数演算手段により決定された回転数が０回転あるいは最低回転数でなく、前記冷蔵室の温度が設定温度以下で、前記電動ダンパ駆動回路が前記電動ダンパを閉め前記冷蔵室は冷却されず冷却器温度が低下した時の前記冷却器温度検出手段で検出した冷却器温度が回転数補正温度以下であれば、前記回転数補正手段により補正された回転数で前記コンプレッサを回転数制御するインバータ回路とを備えたことを特徴とする冷蔵庫の運転制御装置。
【請求項２】
回転数補正手段は、冷凍室温度設定手段により設定された冷凍室の設定温度に応じて回転数補正温度を設定することを特徴とする請求項１記載の冷蔵庫の運転制御装置。
【発明の詳細な説明】
【０００１】
【発明の属する技術分野】
本発明は、冷蔵庫における庫内の冷却を効率よく行い、省エネルギーを図る冷蔵庫の制御装置に関するものである。
【０００２】
【従来の技術】
冷蔵庫の制御装置は、冷蔵庫の冷凍室、冷蔵室、野菜室の各室を設定された温度で温調するように、ダンパ、ファン、コンプレッサを制御するものである（例えば、特開昭６０−７１８７４号公報）。
【０００３】
以下、従来の冷蔵庫の制御装置について図面を参照しながら、温調制御について説明する。
【０００４】
図３は、従来の冷蔵庫の制御装置のブロック図を示すものである。図３において、１は冷蔵庫本体で、外箱２と内箱３と両者の空隙に形成されたウレタン発泡断熱材４により構成され、前面開口部に３つのドア５、６、７が配設されている。ドア５、６、７はそれぞれ冷蔵庫本体１の冷凍室８、冷蔵室９、野菜室１０の開口部に対応して配設されている。
【０００５】
冷凍室８の底板１１と冷蔵室９の天板１２に囲まれた区画壁内には冷却器１３とその背後にファン１４を有している。また、冷凍室８、冷蔵室９の背部には、冷却器１３からの冷却空気を各室に導入するための通風路１５、１６が形成されている。１７はコンプレッサであり、１８は電動ダンパである。
【０００６】
また、１９は冷凍室温度センサである。
２０は冷凍室制御手段で、冷凍室温度検出手段２１、冷凍室温度設定手段２３、冷凍室温度差演算手段２４、回転数演算手段２５で構成されている。
【０００７】
冷凍室温度検出手段２１は、冷凍室温度センサ１９により冷凍室８内の温度を検出し、冷凍室温度設定手段２３は、冷凍室８の温度を設定するための冷凍室温度設定スイッチ２２を操作すれば設定温度を検出し、冷凍室８の設定温度を例えば−１６℃、−１８℃や−２０℃に設定する。
【０００８】
冷凍室温度差演算手段２４は、冷凍室温度検出手段２１で検出した冷凍室温度と冷凍室温度設定手段２３が検出した冷凍室８の設定温度の温度差を演算し、その温度差により回転数演算手段２５でコンプレッサ１７の回転数を決定し、インバータ回路２６に決定した回転数指令を送出し、インバータ回路２６は決められた回転数でコンプレッサ１７を運転する。
【０００９】
回転数演算手段２５で決定するコンプレッサ１７の回転数を図４に示す。図４で冷凍室温度が設定温度より１Ｋ〜２Ｋ高いときコンプレッサ１７を動作させ１８００回転で運転し、２Ｋ〜３Ｋ高いときは２４００回転、３Ｋ〜４Ｋ高いときは３０００回転、４Ｋ以上高いときは３６００回転で運転し、１Ｋ低くなればコンプレッサ１７を停止（０回転）するように回転数演算手段２５は回転数を決定する。ここで温度差が−１Ｋと１Ｋの間の回転数は２通りあり、一度１８００回転で運転しだすと温度差が−１Ｋになるまで運転を続け、一度停止すると温度差が１Ｋになるまで運転を開始しない。
【００１０】
２７は冷却ファン駆動回路で回転数演算手段２５で決定した回転数が停止以外の時動作し、ファン１４を運転し、コンプレッサ１７の運転により冷却された冷却器１３の冷気を庫内に送り庫内を冷却する。
【００１１】
また、２８は冷蔵室温度センサである。
３０は冷蔵室制御手段で、冷蔵室温度検出手段３１、冷蔵室温度設定手段３３、冷蔵室温度差演算手段３４で構成されている。
【００１２】
冷蔵室温度検出手段３１は、冷蔵室温度センサ２８により冷蔵室９内の温度を検出し、冷蔵室温度設定手段３３は、冷蔵室９の温度を設定するための冷蔵室温度設定スイッチ３２を操作すれば設定温度を検出する。
【００１３】
冷蔵室温度差演算手段３４は、冷蔵室温度検出手段３１で検出した冷蔵室温度と冷蔵室温度設定手段３３が検出した冷蔵室９の設定温度の温度差を演算し、その温度差により電動ダンパ１８の開閉を決定し、電動ダンパ駆動回路３５に開閉指令を送出し、電動ダンパ駆動回路３５は開閉指令に基づき電動ダンパ１８を開閉する。
【００１４】
以上のように構成された冷蔵庫の運転制御装置について、以下図３、図５を用いてその動作を説明する。
【００１５】
図５（ａ）は、従来の冷蔵庫の冷凍室８の温調制御を説明するためのフローチャートである。まず、Ｓ１で冷凍室温度検出手段２１は冷凍室温度センサ１９により冷凍室８内の温度を検出し、Ｓ２で冷凍室温度設定手段２３は冷凍室温度設定スイッチ２２により冷凍室８の設定温度を検出する。そしてＳ３で、冷凍室温度差演算手段２４は、冷凍室８の温度と冷凍室８の設定温度の差を演算し、Ｓ４で回転数演算手段２５は図４に示すごとくコンプレッサ１７の運転回転数を決定し、Ｓ５で決定した回転数指令をインバータ回路２６に送出する。この時、冷却ファン駆動回路２７は回転数指令が停止（０回転）かどうかを判断し、０回転時はファン１４を停止し、それ以外はファン１４を運転し冷却器１３に風を送り、冷却された冷却器１３と熱交換を行い、冷風を庫内に送ることにより庫内の冷却を行う。
【００１６】
図５（ｂ）は、従来の冷蔵庫の冷蔵室９の温調制御を説明するためのフローチャートである。まず、Ｓ６で冷蔵室温度検出手段３１は冷蔵室温度センサ２８により冷蔵室９内の温度を検出し、Ｓ７で冷蔵室温度設定手段３３は冷蔵室温度設定スイッチ３２により冷蔵室９の設定温度を検出する。
【００１７】
そしてＳ８で、冷蔵室温度差演算手段３４は、冷蔵室９の温度と冷蔵室９の設定温度の差を演算し、電動ダンパ１８の開閉を決定し、Ｓ９で決定した開閉指令を電動ダンパ駆動回路３５に送出する。この時電動ダンパ駆動回路３５は開閉指令に基づき電動ダンパ１８を開閉する。
【００１８】
以上により電動ダンパ１８が開いているときには冷凍室８の温調制御によりコンプレッサ１７が動作しているときに送られてくる冷風が冷蔵室９内に導入され、冷蔵室９にの温調を行なう。
【００１９】
【発明が解決しようとする課題】
しかしながら上記のような構成では、電動ダンパ１８の開閉等により、冷却器１３の温度が変化し、閉時には冷却器１３を通過する空気の流れは冷凍室８内のみとなるため冷却器１３を通過する空気温度が低下し、熱交換量が少なくなるため冷却器１３の温度が低下する。この電動ダンパ１８が閉状態では冷凍室８だけを冷却すればよく冷却能力は少なくなる。また、冷却器１３の温度は高いほど低圧圧力があがりシステムの効率が上昇するが冷凍室温度と設定温度によりコンプレッサ１７の回転数を決定しているため冷却器１３の温度が低下しても同一の回転数でコンプレッサ１７を運転しているため効率的な運転ができないという問題点を有していた。
【００２０】
本発明は上記の問題点を解決するもので、冷却器の温度を検出し、必要な冷却能力で運転し、効率が良くなる温度に冷却器温度を維持するようコンプレッサの回転数を決定する冷蔵庫の運転制御装置を提供することを目的とする。
【００２１】
【課題を解決するための手段】
上記目的を達成するために本発明の冷蔵庫の運転制御装置は、区画壁内に設けられ、コンプレッサにより圧縮された冷媒を蒸発させ、空気を冷却する冷却器と、前記冷却器により冷却された空気を庫内に送るファンと、前記庫内に形成され、食品を貯蔵する冷凍室及び冷蔵室と、前記冷却器からの冷却空気を各室に導入するための通風路と、開いている時には前記冷却器からの冷却空気を前記冷蔵室に導入させ、閉じている時には前記冷却器からの冷却空気を前記冷蔵室に導入させない電動ダンパと、前記冷凍室内に設けられた冷凍室温度センサと、前記冷凍室温度センサにより前記冷凍室の室内温度を検出する冷凍室温度検出手段と、前記冷凍室の室内温度を設定する冷凍室温度設定手段と、前記冷凍室温度検出手段により検出された前記冷凍室の室内温度と前記冷凍室温度設定手段により設定された前記冷凍室の設定温度との差を演算する冷凍室温度差演算手段と、前記冷凍室温度差演算手段の出力により前記コンプレッサの回転数を決定する回転数演算手段と、前記冷蔵室内に設けられた冷蔵室温度センサと、前記冷蔵室温度センサにより前記冷蔵室の室内温度を検出する冷蔵室温度検出手段と、前記冷蔵室の室内温度を設定する冷蔵室温度設定手段と、前記冷蔵室温度検出手段により検出された前記冷蔵室の室内温度と前記冷蔵室温度設定手段により設定された前記冷蔵室の設定温度との差を演算する冷蔵室温度差演算手段と、前記冷蔵室温度差演算手段の演算した温度差により前記電動ダンパを開閉する電動ダンパ駆動回路と、前記冷却器にとりつけられた冷却器温度センサと、前記冷却器温度センサにより冷却器の温度を検出する冷却器温度検出手段と、前記回転数演算手段により決定された回転数が０回転あるいは最低回転数でなく、前記冷蔵室の温度が設定温度以下で、前記電動ダンパ駆動回路が前記電動ダンパを閉め前記冷蔵室は冷却されず冷却器温度が低下した時の前記冷却器温度検出手段で検出した冷却器温度が回転数補正温度以下であれば、前記回転数演算手段により決定された回転数を下げるように補正する回転数補正手段と、前記冷却器温度検出手段で検出した冷却器温度が回転数補正温度以下でなければ前記回転数演算手段により決定された回転数で前記コンプレッサを回転数制御し、前記回転数演算手段により決定された回転数が０回転あるいは最低回転数でなく、前記冷蔵室の温度が設定温度以下で、前記電動ダンパ駆動回路が前記電動ダンパを閉め前記冷蔵室は冷却されず冷却器温度が低下した時の前記冷却器温度検出手段で検出した冷却器温度が回転数補正温度以下であれば、前記回転数補正手段により補正された回転数で前記コンプレッサを回転数制御するインバータ回路とを備える。
【００２２】
また、上記回転数補正手段が、冷凍室温度設定手段により設定された冷凍室の設定温度に応じて回転数補正温度を設定する構成である。
【００２３】
本発明は上記構成により、冷凍室温度を冷凍室温度検出手段で検出し、冷凍室設定温度を冷凍室温度設定手段で検出し、冷凍室温度差演算手段により温度と設定温度の温度差を演算し、回転数演算手段でコンプレッサの回転数を決定し、前記回転数演算手段により決定された回転数が０回転あるいは最低回転数でなく、冷蔵室の温度が設定温度以下で、電動ダンパ駆動回路が電動ダンパを閉め前記冷蔵室は冷却されず冷却器温度が低下した時の冷却器温度検出手段で検出した冷却器温度が回転数補正温度以下であれば、前記回転数演算手段により決定されたコンプレッサの回転数を下げるように回転数補正手段で補正するため、適正な冷却能力で運転でき、電動ダンパ動作時の冷却器温度の冷えすぎによる運転効率の低下を防ぐことができ省エネを図ることができる。
【００２４】
また、冷凍室の設定温度毎にコンプレッサの回転数を補正できるためどのような設定温度に設定されたとしても設定温度毎に冷却器温度の冷えすぎによる運転効率の低下を防ぐことができ省エネを図ることができる。
【００２５】
【発明の実施の形態】
（実施の形態１）
以下本発明の一実施例について、図面を参照しながら説明する。また、図において、従来例と共通のものは同一の番号を付し、説明を省略する。
【００２６】
図１は本発明の第１の実施例における冷蔵庫の冷凍室の運転制御装置の構成を示すブロック図、図２は本発明の第１の実施例における動作を説明するためのフローチャートである。
【００２７】
図１において、４０は冷凍室運転制御装置であり、冷凍室温度検出手段２１、冷凍室温度設定手段２３、冷凍室温度温度差演算手段２４、回転数演算手段２５、回転数補正手段４１、冷却器温度検出手段４２よりなる。
【００２８】
冷凍室温度検出手段２１は、冷凍室温度センサ１９により冷凍室８内の温度を検出し、冷凍室温度設定手段２３は、冷凍室８の温度を設定するための冷凍室温度設定スイッチ２２を操作すれば設定温度を検出し、冷凍室８の設定温度を例えば−１６℃、−１８℃や−２０℃に設定する。
【００２９】
冷凍室温度差演算手段２４は、冷凍室温度検出手段２１で検出した冷凍室温度と冷凍室温度設定手段２３が検出した冷凍室８の設定温度の温度差を演算し、その温度差により回転数演算手段２５でコンプレッサ１７の回転数を決定する。
【００３０】
冷却器温度検出手段４２は冷却器温度センサ４３の出力により冷却器１３の温度を検出し回転数補正手段４１に冷却器温度を送出する。
【００３１】
回転数補正手段４１は冷凍室８の設定温度により一定に保つ冷却器温度として冷凍室設定温度以下の冷凍室８を冷却でき、効率よく運転できる温度（回転数補正温度と呼ぶ）、例えば、冷凍室設定温度を−１６℃、−１８℃や−２０℃に設定すれば、回転数補正温度をそれぞれ−１９℃、−２１℃や−２３℃に設定する。
【００３２】
そして冷却器温度が決定した回転数補正温度になれば回転数演算手段２５で決定した回転数を回転数補正温度となるように回転数を補正し、インバータ回路２６に補正した回転数指令を送出し、インバータ回路２６は決められた回転数でコンプレッサ１７を運転し、ファン駆動回路２７は回転数指令が０以外の時ファン１４を運転する。
【００３３】
回転数演算手段２５で決定するコンプレッサ１７の回転数は図４に示す従来と同じものである。回転数補正手段４１は冷却器温度が回転数回転数補正温度以下になれば決定された回転数が０回転あるいは最低の回転数（本実施例では１８００回転）以外の時に図４に示す回転数を１つ下の回転数に補正するものである。
【００３４】
以上のように構成された冷蔵庫の運転制御装置について、以下図１、図２、図４を用いてその動作を説明する。
【００３５】
図２は、本実施例の冷蔵庫の冷凍室８の温調制御を説明するためのフローチャートである。まず、Ｓ１で冷凍室温度検出手段２１は冷凍室温度センサ１９により冷凍室８内の庫内温度を検出し、Ｓ２で冷凍室温度設定手段２３は冷凍室温度設定スイッチ２２により冷凍室８の設定温度を検出する。
【００３６】
そしてＳ３で、冷凍室温度差演算手段２４は、冷凍室８の温度と冷凍室８の設定温度の差を演算し、Ｓ４で回転数演算手段２５は図４に示すごとくコンプレッサ１７の運転回転数を決定する。
【００３７】
Ｓ１０で回転数補正手段４１は冷凍室温度設定手段２３で検出した冷凍室設定温度により回転数補正温度を決定し、Ｓ１１で冷却器温度検出手段４２からの冷却器温度を検出する。
【００３８】
そしてＳ１２で回転数補正温度と冷却器温度を比較し、Ｓ１３で冷却器温度が回転数補正温度以下かを判断し、以下であればＳ１４に進み、Ｓ４で決定された回転数をが０回転あるいは最低回転数でなければ１つ下の回転数に補正し、Ｓ５で補正した回転数指令をインバータ回路２６に送出する。またＳ１３において冷却器温度が回転数補正温度以下でなければＳ５に進む。この時ファン駆動回路２７は回転数指令が停止（０回転）かどうかを判断し、０回転時はファン１４を停止し、それ以外はファン１４を運転し冷却器１３に風を送り、冷却された冷却器１３と熱交換を行い、冷風を庫内に送ることにより庫内の冷却を行う。
【００３９】
冷蔵室９の運転制御は図５の（ｂ）に示すものと同じものである。
このような動作を行う冷蔵庫の運転制御装置において、冷凍室８及び冷蔵室９の温度が上昇すると、冷蔵室９の庫内温度と設定温度差が大きくなり、電動ダンパ駆動手段３５は電動ダンパ１８を開く。冷凍室８も庫内温度と設定温度差が大きくなり、回転数演算手段２５は温度差に応じコンプレッサ１７の回転数を決定しインバータ回路２６は決定された回転数でコンプレッサ１７を運転し、ファン駆動手段２７はファン１４を運転し、冷却器１３が冷却され、冷凍室８及び冷蔵室９を冷却する。
【００４０】
次に冷凍室８の温度が下がってくると温度差が少なくなり回転数演算手段２５は温度差に応じた回転数を決定しインバータ回路２６もその回転数でコンプレッサ１７を運転する。
【００４１】
そして冷蔵室９の温度が設定温度以下になると電動ダンパ駆動回路３５は電動ダンパ１８を閉め冷蔵室９は冷却されなくなり、冷却器温度が低下する。このとき冷却器温度が回転数補正温度以下になり回転数が０回転あるいは最低回転数以外であれば回転数補正手段４１は回転数を１つ下の回転数としインバータ回路２６に送出し、インバータ回路２６はその回転数でコンプレッサ１７を運転し、その結果高圧圧力が下がり冷却器温度は上昇する。
【００４２】
本実施例では、補正する回転数を段階的に補正しているが、補正する回転数を連続で補正することもできる。
【００４３】
従って、本実施例では、冷凍室温度と設定温度の温度差によりコンプレッサ１７の回転数を決定し、冷凍室８の設定温度により回転数補正温度を決定し、冷凍室温度と設定温度の温度差により決定されたコンプレッサ１７の回転数が０回転あるいは最低回転数でなく、冷蔵室９の温度が設定温度以下で、電動ダンパ１８が閉じ冷蔵室９は冷却されず冷却器温度が低下した時の冷却器温度が回転数補正温度以下であれば、コンプレッサ１７の回転数を１つ下の回転数で運転するため、適正な冷却能力で運転でき、電動ダンパ１８動作時の冷却器温度の冷えすぎによる運転効率の低下を防ぐことができ省エネを図ることができる。
【００４４】
【発明の効果】
以上のように本発明は、区画壁内に設けられ、コンプレッサにより圧縮された冷媒を蒸発させ、空気を冷却する冷却器と、前記冷却器により冷却された空気を庫内に送るファンと、前記庫内に形成され、食品を貯蔵する冷凍室及び冷蔵室と、前記冷却器からの冷却空気を各室に導入するための通風路と、開いている時には前記冷却器からの冷却空気を前記冷蔵室に導入させ、閉じている時には前記冷却器からの冷却空気を前記冷蔵室に導入させない電動ダンパと、前記冷凍室内に設けられた冷凍室温度センサと、前記冷凍室温度センサにより前記冷凍室の室内温度を検出する冷凍室温度検出手段と、前記冷凍室の室内温度を設定する冷凍室温度設定手段と、前記冷凍室温度検出手段により検出された前記冷凍室の室内温度と前記冷凍室温度設定手段により設定された前記冷凍室の設定温度との差を演算する冷凍室温度差演算手段と、前記冷凍室温度差演算手段の出力により前記コンプレッサの回転数を決定する回転数演算手段と、前記冷蔵室内に設けられた冷蔵室温度センサと、前記冷蔵室温度センサにより前記冷蔵室の室内温度を検出する冷蔵室温度検出手段と、前記冷蔵室の室内温度を設定する冷蔵室温度設定手段と、前記冷蔵室温度検出手段により検出された前記冷蔵室の室内温度と前記冷蔵室温度設定手段により設定された前記冷蔵室の設定温度との差を演算する冷蔵室温度差演算手段と、前記冷蔵室温度差演算手段の演算した温度差により前記電動ダンパを開閉する電動ダンパ駆動回路と、前記冷却器にとりつけられた冷却器温度センサと、前記冷却器温度センサにより冷却器の温度を検出する冷却器温度検出手段と、前記回転数演算手段により決定された回転数が０回転あるいは最低回転数でなく、前記冷蔵室の温度が設定温度以下で、前記電動ダンパ駆動回路が前記電動ダンパを閉め前記冷蔵室は冷却されず冷却器温度が低下した時の前記冷却器温度検出手段で検出した冷却器温度が回転数補正温度以下であれば、前記回転数演算手段により決定された回転数を下げるように補正する回転数補正手段と、前記冷却器温度検出手段で検出した冷却器温度が回転数補正温度以下でなければ前記回転数演算手段により決定された回転数で前記コンプレッサを回転数制御し、前記回転数演算手段により決定された回転数が０回転あるいは最低回転数でなく、前記冷蔵室の温度が設定温度以下で、前記電動ダンパ駆動回路が前記電動ダンパを閉め前記冷蔵室は冷却されず冷却器温度が低下した時の前記冷却器温度検出手段で検出した冷却器温度が回転数補正温度以下であれば、前記回転数補正手段により補正された回転数で前記コンプレッサを回転数制御するインバータ回路とを備えることにより、冷凍室温度と設定温度の温度差により決定されたコンプレッサの回転数が０回転あるいは最低回転数でなく、冷蔵室の温度が設定温度以下で、電動ダンパが閉じ冷蔵室は冷却されず冷却器温度が低下した時の冷却器温度が回転数補正温度以下であれば、コンプレッサの回転数を下げるため、適正な冷却能力で運転でき、電動ダンパ動作時の冷却器温度の冷えすぎによる運転効率の低下を防ぐことができ省エネを図ることができる。
【００４５】
また、回転数補正手段が、冷凍室温度設定手段により設定された冷凍室の設定温度に応じて回転数補正温度を設定することにより、冷凍室の設定温度に見合った適正な冷却能力で運転でき、電動ダンパ動作時の冷却器温度の冷えすぎによる運転効率の低下を防ぐことができ省エネを図ることができる。
【図面の簡単な説明】
【図１】本発明の第１の実施例を示す冷蔵庫の冷凍室の運転制御装置のブロック図
【図２】図１における動作を説明するためのフローチャート
【図３】従来の冷蔵庫の運転制御装置のブロック図
【図４】従来の冷蔵庫の動作特性図
【図５】（ａ）従来例における冷凍室の動作を説明するためのフローチャート
（ｂ）従来例における冷蔵室の動作を説明するためのフローチャート
【符号の説明】
１４  ファン
１７  コンプレッサ
１８  電動ダンパ
１９  冷凍室温度センサ          （温度センサ）
２１  冷凍室温度検出手段        （温度検出手段）
２２  冷凍室温度設定スイッチ
２３  冷凍室温度設定手段        （温度設定手段）
２４  冷凍室温度差演算手段      （温度差演算手段）
２５  回転数演算手段
２６  インバータ回路
４０  冷凍室の運転制御装置
４１  回転数補正手段
４２  冷却器温度検出手段
４３  冷却器温度センサ
【図１】
0003908801.tif 000002
【図２】
0003908801.tif 000003
【図３】
0003908801.tif 000004
【図４】
0003908801.tif 000005
【図５】
0003908801.tif 000006